(57)【要約】【課題】  新たに位置検出用のセンサを設けることなく、イメージセンサが正しくセットされていることを検出できるようにしたイメージ読取装置を提供する。【解決手段】  被読取り物と対向する所定の読取り位置に取外し可能な状態で配置されたイメージセンサ２０を有するイメージ読取装置で、イメージセンサ２０は、その走査方向の一端側２５ａが回動可能に支持され、この一端側２５ａを支点として回動することで被読取り面１３ａからの取外し状態となり、判断手段は２９は、イメージセンサ２０からの検知出力のうち、前記支点に対し走査方向反対側の所定のエリアを読取った検知出力が設定レベル以上であれば、イメージセンサ２０が読み取り位置に正しくセットされていると判断する。【選択図】図１
2007179469.tif 000002
【特許請求の範囲】
【請求項１】
被読取り物と対向する所定の読取り位置に取外し可能な状態で配置されたイメージセンサを有するイメージ読取装置であって、
前記イメージセンサと対向する被読取り面の少なくとも一部は光が反射しやすい検知エリアとなっており、
前記イメージセンサの読取り出力データにより前記イメージセンサが前記読取り位置に正しくセットされていると判断する判断手段を備えた
ことを特徴とするイメージ読取装置。
【請求項２】
イメージセンサは、その走査方向の一端側が回動可能に支持され、この一端側を支点として回動することで被読取り面からの取外し状態となり、
判断手段は、前記イメージセンサからの検知出力のうち、前記支点に対し走査方向反対側の所定のエリアを読取った検知出力データにより前記イメージセンサが前記読み取り位置に正しくセットされていると判断する
ことを特徴とする請求項１に記載のイメージ読取装置。
【発明の詳細な説明】
【技術分野】
【０００１】
本発明は、被読取り物と対向する所定の読取り位置に取外し可能な状態で配置されたイメージセンサを有するイメージ読取装置に関する。
【背景技術】
【０００２】
一般に、各種の帳票などの表面に記載された文字などを、ＣＣＤイメージセンサ（以下、単にイメージセンサと呼ぶ）により読取るイメージ読取装置が各種分野において用いられている。このイメージ読取装置が利用されているものとして、印字装置において、印字対象の媒体への印字確認をイメージセンサの読み取り結果により判断するものがある。この場合、イメージセンサは、印対象となる帳票などの媒体上の印字を読取るため、この媒体の印字部への搬送路と対向するように設置され、搬送路上を移動する媒体表面を読取るようにしている。
【０００３】
従来、イメージセンサは、搬送路などの被読取り面との対向位置にねじ止めなどにより固定取り付けされていた。しかし、このようにイメージセンサを固定取り付けすると、そのガラス面の清掃が行い難いなど、メンテナンス性に問題があった。
【０００４】
そこで、メンテナンス性を改善すべく、イメージセンサを、被読取り面との対向位置から容易に取り外しできる構成が考えられた。このように、イメージセンサを被読取り面との対向位置から容易に取り外しできれば、そのガラス面を容易に清掃できるなど、メンテナンス性は大きく向上する。
【０００５】
しかし、容易に取外せるということは、イメージセンサが所定の位置に正しくセットされていない機会が増えることになる。イメージセンサが正しくセットされていない状態で読取が行われると、勿論正しい読み取りは行われず、このような事態は確実に防止する必要がある。
【発明の開示】
【発明が解決しようとする課題】
【０００６】
そこで、読み取り開始時点で、イメージセンサが正しくセットされているかを確認する必要がある。この確認には、従来、別途位置確認用のセンサを設けてイメージセンサの位置を検出し、イメージセンサが正しくセットされているか確認していた。
【０００７】
しかし、別途位置検出用のセンサを設けることは、装置構成を複雑化し、製品コスト上昇の原因にもなる。
【０００８】
本発明の目的は、新たに位置検出用のセンサを設けることなく、イメージセンサが正しくセットされていることを検出できるようにしたイメージ読取装置を提供することにある。
【課題を解決するための手段】
【０００９】
本発明のイメージ読取装置は、被読取り物と対向する所定の読取り位置に取外し可能な状態で配置されたイメージセンサを有するイメージ読取装置であって、前記イメージセンサと対向する被読取り面の少なくとも一部は光が反射しやすい検知エリアとなっており、前記イメージセンサの読取り出力データにより前記イメージセンサが前記読取り位置に正しくセットされていると判断する判断手段を備えたことを特徴とする。
【００１０】
また、本発明では、イメージセンサは、その走査方向の一端側が回動可能に支持され、この一端側を支点として回動することで被読取り面からの取外し状態となり、判断手段は、前記イメージセンサからの検知出力のうち、前記支点に対し走査方向反対側の所定のエリアを読取った検知出力データにより前記イメージセンサが前記読み取り位置に正しくセットされていると判断するように構成してもよい。
【発明の効果】
【００１１】
本発明によれば、イメージセンサを被読取り面から容易に取外せるので、メンテナンス性が向上する。また、イメージセンサが読取り位置に正しくセットされていることを、特別な位置検出用のセンサを設けることなく確実に検出でき、装置構成を簡素化できる。
【発明を実施するための最良の形態】
【００１２】
以下、本発明によるイメージ読取装置の一実施の形態について、図面を用いて詳細に説明する。
【００１３】
先ず、図３により、イメージ読取装置を印字装置に適用し、印字される媒体への印字確認を、イメージセンサの読み取り結果により判断する場合の全体構成を説明する。図３において、１は印字装置で、装置の上下方向に、印字処理対象となる媒体を挿入または排出させる媒体取扱口２２、２３がそれぞれ形成されている。そして、下側の媒体取扱口２２に対応する位置には下側テーブル３２が形成され、上側の媒体取扱口２３に対応する位置には上側テーブル３３が形成されている。これら下側テーブル３２及び上側テーブル３３には、装置内部へと挿入される媒体がセットされたり、装置内から排出された媒体が載置されたりする。
【００１４】
下側の媒体取扱口２２には、装置後方（図示左方）へ伸びる搬送路（以下、第１の搬送路と呼ぶ）１１が接続され、同じく上側の媒体取扱口２３にも、装置後方へ伸びる搬送路（以下、第２の搬送路と呼ぶ）１２が接続されている。そして、これらの搬送路１１、１２は所定角度で合流し、合流後の搬送路（以下、第３の搬送路と呼ぶ）１３は更に装置後方へと伸びている。これら第１の搬送路１１と第２の搬送路１２とが合流し第３の搬送路１３に接続される合流部には、第３の搬送路１３に対して第１及び第２の搬送路１１，１２を選択的に切換える搬送路切換機構１６が設けられ、搬送方向を切換えている。
【００１５】
また、これら搬送路１１，１２，１３には、それぞれ搬送ローラ１９が設けられている。これら搬送ローラ１９は、上下一対のローラからなり、図示しないモータの駆動により正逆両方向に回転し、上下のローラ間に媒体をクランプして所定方向に搬送するものである。すなわち、これら搬送ローラ１９は、下側テーブル３２または上側テーブル３３にセットされた媒体を装置内部方向（図示左方）へ、あるいは排出方向（図示右方）へと搬送する。
【００１６】
また、第３の搬送路１３には媒体にデータの印字を行う印字ヘッド２１と、その印字結果を読取るイメージセンサ２０とが設けられている。
【００１７】
ここで、前記搬送路切換機構１６は、一端（図示右端）が回動可能に軸支されたブレード状のガイド部材により構成され、図示しない角度設定機構により所定のガイド角に回動され、かつ角度設定される。
【００１８】
印字装置１は、例えば、下側テーブル３２上にセットされた媒体３を、下側媒体取扱口２２から第１の搬送路１１により装置内部に搬入し、合流部から第３の搬送路１３に搬送し、この第３の搬送路１３において印字ヘッド２１により所定の印字を行った後、搬送ローラ１９を逆転させ、印字後の媒体を排出方向に移動させることで、イメージセンサ２０により媒体表面のイメージを読取り、印字が行われたかを確認した後、合流部から第２の搬送路１２内に搬送させ、上側の媒体取扱口２３から上側テーブル３３上に排出し、この上側テーブル３３上に載置させるように運用される。このように印字装置１を運用する場合、搬送路切換機構１６は、ブレード状のガイド部材を以下に説明する第１及び第２のガイド角に角度設定する。
【００１９】
すなわち、第１のガイド角とは、第１の搬送路１１から合流部に送られてくる媒体を、この合流部より第３の搬送路側１３に設けられた搬送ローラ１９のクランプ側の外周面（上下一対のローラの接合部分）に向って案内する角度である。また、第２のガイド角とは、第３の搬送路１３側から合流部に送られてくる媒体を第２の搬送路１２に案内する角度である。
【００２０】
前記イメージセンサ２０は、被読取り物（印字される媒体）が搬送される第３の搬送路１３上の、被読取り物と対向する所定の読取り位置に、その走査方向が第３の搬送路１３を横断する方向で設置されている。このイメージセンサ２０は、図１（ａ）（ｂ）で示すように、被読取り面（第３の搬送路１３の表面）１３ａに対し取外し可能な状態で設置されている。すなわち、図示のように、イメージセンサ２０は、支持部材２５に取り付けられており、この支持部材２５の図示左端（イメージセンサ２０の走査方向一端側）２５ａが回動可能に支持されている。そして、この走査方向一端側２５ａを支点として、図１（ｂ）で示すように回動することで被読取り面１３ａからの取外し状態となる。
【００２１】
ここで、前記イメージセンサ２０と対向する被読取り面１３ａの少なくとも一部を光が反射しやすい検知エリアとする。例えば、図２で示すように、イメージセンサ２０による検知エリア２６のうち、前記取り外し時の支点となる走査方向一端側２５ａの反対側（支点から遠い側）のエリア２６ａを、光が反射しやすい検知エリアとする。
【００２２】
また、前記イメージセンサ２０に対しては、図１（ａ）で示すように、イメージ読み取り手段２８及びセット状態の判断手段２９が接続され、これらにはイメージセンサ２０による読取り出力がそれぞれ入力される。イメージ読取り手段２８は、イメージセンサ２０からの読取り出力により、第３の搬送路１３の媒体３の表面における印字を読取るものである。これに対し、セット状態の判断手段２９は、イメージセンサ２０からの読取り出力により、イメージセンサ２０が所定の読取り位置に正しくセットされているか否かを判断する。
【００２３】
ここで、判断手段２９は、イメージセンサ２０の読取り出力が設定レベル以上であれば、イメージセンサ２０が所定の読取り位置に正しくセットされていると判断する。この実施の形態では、イメージセンサ２０が、図１（ｂ）で示すように、走査方向一端側２５ａを支点として回動することで取外し状態となる構造のため、判断手段２９は、イメージセンサ２０からの検知出力のうち、図２で示すように、支点に対し走査方向反対側の所定のエリア２６ａを読取った検知出力が設定レベル以上であれば、イメージセンサ２０が所定の読取り位置に正しくセットされていると判断する。
【００２４】
上記構成において、図３で示した印字装置１では、下側テーブル３２上に媒体（以下帳票として説明する）をセットし、この帳票に対して印字ヘッド２１により印字を行うものとする。
【００２５】
この場合、下側テーブル３２にセットされた帳票３は、媒体取扱口２２から第１の搬送路１１内に挿入され、搬送ローラ１９により図示左方に搬送される。搬送された帳票３は合流部において、前記第１のガイド角に角度設定された搬送路切換機構１６により第３の搬送路１３内に搬送される。第３の搬送路１３に搬送された通帳３は、印字ヘッド２１によりデータが印字される。
【００２６】
印字動作が終了すると、搬送ローラ１９を逆方向に回転させ、帳票３を返送する。このため帳票３は、イメージセンサ２０と対向する所定の読取り位置に搬送され、ここで帳票の所定箇所が読取られ、イメージ読取り手段２８により印字が正しく行われたかを確認する。その後、帳票３は第３の搬送路１３から合流部に送り出され、搬送路切換機構１６を前記第２のガイド角に角度設定することにより第２の搬送路１２にガイドされる。そして、第２の搬送路１２から上側の媒体取扱口２３を経て上側テーブル３３上に排出され、このテーブル３３上に載置される。
【００２７】
このようにして一連の印字処理が行われるが、このような処理が正しく行われるためには、イメージセンサ２０が所定の読み取り位置に正しくセットされていなければならない。前述のように、イメージセンサ２０は、その読取り面のガラスに付着したほこりなどを除去するために、かなりの頻度で、図１（ｂ）で示すように、被読取り面１３ａから取外された状態となる。ほこり除去などのメンテナンス後、イメージセンサ２０は所定の読取り状態にセットされるが、このセットを忘れたり、正しくセットされない場合が生じる可能性がある。このため、前述した一連の処理を行うに先立って、イメージセンサ２０が正しくセットされているかを検出する必要がある。
【００２８】
イメージセンサ２０が正しくセットされているかは、イメージセンサ２０自体の読取り出力により判断手段２９で検出する。すなわち、イメージセンサ２０が図１（ａ）で示すように被読取り面１３ａに対して正しくセットされていると、図２で示した光が反射しやすい検知エリア２６ａを読取ったイメージセンタの読取り出力は充分高いレベルとなって判断手段２９に入力される。判断手段２９は、所定の検知エリア２６ａを読取った検知出力が設定レベル以上であればイメージセンサ２０が読み取り位置に正しくセットされていると判断する。このように、イメージセンサ２０が正しくセットされていれば、下側テーブル３２上にセットされた帳票３を取り込んでの前述した一連の印字処理を開始する。
【００２９】
これに対し、イメージセンサ２０が図１（ｂ）で示すような取外し状態のままであったり、正しくセットされていない場合は、イメージセンサ２０の、回動支点２５ａよりはなれた部分は被読取り面１３ａから遠く離れる。このため、この部分に対応する検知エリア２６ａからの反射光はイメージセンサ２０に充分に届かなくなる。したがって、この検知エリア２６ａを読取ったイメージセンタ２０の読取り出力は充分高いレベルとはならない。判断手段２９は、所定の検知エリア２６ａを読取った検知出力が設定レベルに満たない場合は、イメージセンサ２０が読み取り位置に正しくセットされていないと判断する。
【００３０】
上記判断の結果、イメージセンサ２０が正しくセットされていない場合は、一連の印字処理を開始せず、改めてイメージセンサ２０を被読取り面１３ａに対して正しくセットする。その後、再びセット状態の確認を行い、イメージセンサ２０が正しくセットされていれば、下側テーブル３２上にセットされた帳票３を取り込んでの前述した一連の印字処理を開始する。
【００３１】
このように、一連の処理を開始する前に、イメージセンサ２０が正しくセットされているか否かを確認できるので、セット不良により処理が失敗することはなく、常に正確なイメージ読み取りを行うことができる。また、イメージセンサ２０自身の読取り出力によりセット状態の確認を行うため、別途位置確認用のセンサを設ける必要はなく、装置構成を簡素化してコストを低減することができる。
【００３２】
なお、上記実施の形態では、イメージセンサ２０の走査方向一端側２５ａを支点として被読取り面１３ａから取外すようにしたが、本発明はこれに限定されず、被読取り面１３ａに対し、イメージセンサ２０全体を取外すようにしても構わない。この場合、セット状態確認用の検出エリアは、支点の反対側の位置に設定する必要はなく、イメージセンサ２０の走査範囲であれば何処でもよい。
【００３３】
また、イメージ読取装置を印字装置に適用した場合を説明したが、勿論どのような読取り対象に対しても適用可能である。
【図面の簡単な説明】
【００３４】
【図１】本発明によるイメージ読取装置の一実施の形態を示す正面図である。
【図２】同上一実施の形態における読取りエリアを説明する図である。
【図３】本発明を印字装置に適用した例を説明する全体構成図である。
【符号の説明】
【００３５】
３    被読取り物
１３ａ    被読取り面
２０    イメージセンサ
２５ａ    取外し用の支点
２６ａ    検知エリア
２９    判断手段
【図１】
2007179469.tif 000003
【図２】
2007179469.tif 000004
【図３】
2007179469.tif 000005